(57)【要約】【課題】原稿トレイに置かれた原稿に折りぐせが付いていても、原稿サイズ判断を誤ることなく繰出・分離供給することができる原稿供給装置を提供する。【解決手段】原稿トレイ３と、該原稿トレイ上に載せられた原稿Ｄを繰出して分離供給する原稿供給部４Ｂとを備えた原稿供給装置Ａであって、上記原稿トレイ３から原稿供給部４Ｂに至る部位には、複数の原稿サイズ検出センサ１０〜１４が設けられ、このうちの原稿繰出し方向に沿った原稿後端側検出センサ１４は、原稿繰出し方向に沿った所定範囲に亘る検出幅ｄを備えていることを特徴とする。【選択図】図１
2008265976.tif 000002
【特許請求の範囲】
【請求項１】
原稿トレイと、該原稿トレイ上に載せられた原稿を繰出して分離供給する原稿供給部とを備えた原稿供給装置であって、
上記原稿トレイから原稿供給部に至る部位には、複数の原稿サイズ検出センサが設けられ、このうちの原稿繰出し方向に沿った原稿後端側検出センサは、原稿繰出し方向に沿った所定範囲に亘る検出幅を備えていることを特徴とする原稿供給装置。
【請求項２】
請求項１に記載の原稿供給装置において、
前記原稿後端側検出センサが、原稿繰出し方向に沿って所定の間隔で設置された２個のセンサからなり、前記所定範囲に亘る検出幅は、この２個のセンサの設置間隔によって設定されるものであることを特徴とする原稿供給装置。
【請求項３】
請求項１に記載の原稿供給装置において、
前記原稿後端側検出センサが、原稿繰出方向に沿った所定長さの作用幅を有するセンサフィラーを備えた１個のセンサからなり、前記所定範囲に亘る検出幅は、このセンサフィラーの作用幅によって設定されるものであることを特徴とする原稿供給装置。
【請求項４】
請求項１に記載の原稿供給装置において、
前記原稿後端側検出センサが、原稿繰出方向に沿って所定間隔に形成された２個の作用部を有するセンサフィラーを備えた１個のセンサからなり、前記所定範囲に亘る検出幅は、このセンサフィラーの作用部の形成間隔によって設定されるものであることを特徴とする原稿供給装置。
【発明の詳細な説明】
【技術分野】
【０００１】
本発明は、複写機、ファクシミリ装置、或いはプリンタ機能をも備えたこれらの複合機等の画像形成装置を構成する画像読取装置、更には画像読取専用機の画像読取部に原稿を供給する為の原稿供給装置に関する。
【背景技術】
【０００２】
上記画像形成装置における画像読取装置や画像読取専用機には、画像読取部に自動的に原稿を供給する自動原稿供給装置（オートドキュメントフィーダ、ＡＤＦ）が設置される。このＡＤＦは、原稿トレイと、原稿トレイ上の原稿を繰出し、１枚ずつ分離して供給する原稿供給部とを備え、分離供給された原稿は原稿搬送路を搬送されながら、或いはプラテンガラス上に搬送静止された状態で、読取部でその画像情報が読取られて排出トレイに排出される（例えば、特許文献１参照）。このようなＡＤＦの場合、原稿トレイ上に置かれた原稿サイズ情報は、その後の画像記録制御或いは画像送信制御、更には画像蓄積制御等に極めて重要であり、その為、原稿トレイ或いは原稿供給部に至る部位には複数の原稿検出センサが設置される。これら複数のセンサは、原稿トレイ上に載せ置かれた原稿の幅を検出するセンサと、繰出し方向の原稿長さを検出するセンサとよりなり、これらセンサによる検出情報の組合せにより、原稿サイズの判定がなされる。
【特許文献１】特開平０５−９４０３号公報
【発明の開示】
【発明が解決しようとする課題】
【０００３】
原稿の読取り操作は、作成された原稿を複写し或いはファクシミリ送信する場合はもとより、ファイルされた原稿を取出し、同様に複写したりフクシミリ送信したりする場合にも多く実施される。ところで、Ａ３やＢ４サイズの原稿の場合、通常Ａ４やＢ５の大きさに折り畳んでファイルされている為、これらのファイル原稿は折りぐせが付いている。このようにファイルされた原稿を、原稿トレイ上に載せて読取り操作を行う際、原稿トレイ上でこの折りぐせ部分が浮き上がり、上記の原稿長さを検出するセンサ（原稿後端側検出センサ）が感知せず、原稿サイズの正確な判定がなされない場合がある。
【０００４】
図５は、上記のように折りぐせが付いた原稿を原稿トレイ上に置いた状態を示している。図はＡＤＦによる原稿供給装置５０を備えた従来の画像読取装置を示し、原稿トレイ５１と、該原稿トレイ５１上に載せられた原稿Ｄを繰出して分離供給する原稿供給部５２とにより原稿供給装置（ＡＤＦ）５０が構成されている。原稿供給部５２は、ピックアップローラ５２ａと、セパレートローラ５２ｂと、このセパレートローラ５２ｂに弾接して逆回転するリタードローラ５２ｃとよりなる。原稿供給部５２から分離供給された原稿は、湾曲する搬送路５３に沿って搬送され、この搬送路５３の途中に配置された画像読取部（画像読取走査装置）５４によって画像が読取られ、その後矢印のように排出される。原稿トレイ５１には、原稿後端側検出センサ５５が、そのセンサフィラー５５ａが原稿トレイ５１の表面に突出するように設置されている。その他の原稿幅検出センサ等の図示は省略されている。
【０００５】
図５に示すように、原稿トレイ５１上には、ファイリングによって折りぐせが付いた原稿Ｄが載せられているが、山形の折りぐせ部分Ｄａが浮き上がり、原稿後端側検出センサ５５のセンサフィラー５５ａに作用せず、正確な原稿サイズの判定がなされなくなる。その為、Ａ３或いはＢ４原稿の場合は、他の原稿幅検出センサの検出情報によって、原稿トレイ５１上にＡ４或いはＢ５原稿が横向き（短辺が原稿繰出し方向に沿った状態）に置かれていると誤判断される恐れがある。特許文献１には、原稿の後端側がカールし或いは折れ曲がっている為に、原稿トレイ上の原稿検出センサが原稿なしと判断してしまう場合でも、ピックアップローラとさばきローラ（セパレートローラ）との間に配置されたセンサが原稿有信号を送出しておれば、コピー処理を続行するよう制御することが開示されている（同特許文献１の００２２欄参照）。しかし、本特許文献１における原稿トレイ上の原稿検出センサは、３枚目の原稿を検出する為のものであり、上記制御は、１枚目、２枚目原稿が正常に給紙通路に送り出されたことを前提として、３枚目原稿にカールや折れ曲がりがある場合に対してなされるものである。従って、上記のように、折りぐせが付いている為に、原稿を原稿トレイに置いた段階で原稿サイズの誤判断が生じるという懸念を払拭することを意図するものではない。
【０００６】
本発明は、上記実情に鑑みなされたものであり、原稿トレイに置かれた原稿に折りぐせが付いていても、原稿サイズ判断を誤ることなく繰出・分離供給することができる原稿供給装置を提供することを目的としている。
【課題を解決するための手段】
【０００７】
本発明の原稿供給装置は、原稿トレイと、該原稿トレイ上に載せられた原稿を繰出して分離供給する原稿供給部とを備えた原稿供給装置であって、上記原稿トレイから原稿供給部に至る部位には、複数の原稿サイズ検出センサが設けられ、このうちの原稿繰出し方向に沿った原稿後端側検出センサは、原稿繰出し方向に沿った所定範囲に亘る検出幅を備えていることを特徴とする。
【０００８】
本発明において、前記所定範囲に亘る検出幅の設定態様としては、以下の３種の態様が可能であるが、これらに限定されるものではない。
第１の態様は、前記原稿後端側検出センサが、原稿繰出し方向に沿って所定の間隔で設置された２個のセンサからなり、当該検出幅が、この２個のセンサの設置間隔によって設定されるものとする場合である。
第２の態様は、前記原稿後端側検出センサが、原稿繰出方向に沿った所定長さの作用幅を有するセンサフィラーを備えた１個のセンサからなり、当該検出幅が、このセンサフィラーの作用幅によって設定されるものとする場合である。
第３の態様は、前記原稿後端側検出センサが、原稿繰出方向に沿って所定間隔に形成された２個の作用部を有するセンサフィラーを備えた１個のセンサからなり、当該検出幅が、このセンサフィラーの作用部の形成間隔によって設定されるものとする場合である。
【発明の効果】
【０００９】
本発明の原稿供給装置によれば、原稿供給トレイ上に載せられた原稿は、原稿供給部によって、１枚ずつ分離されて供給される。原稿トレイから原稿供給部に至る部位には、複数の原稿サイズ検出センサが設けられているから、これらの検出センサの検出情報の組合せにより、原稿トレイ上に載せられた原稿のサイズが的確に判定され、下流側の画像読取制御や、読取画像情報に基づくコピー処理制御或いはファクシミリ送信制御、更には画像蓄積制御等が支障なく実行される。そして、原稿サイズ検出センサのうち、原稿繰出し方向に沿った原稿後端検出センサが、原稿繰出し方向に沿った所定範囲に亘る検出幅を備えているから、後端側に折りぐせのついた原稿であっても、所定範囲に亘る検出幅を備えた原稿後端検出センサのいずれかの部位でその後端側が検出され、これによって原稿サイズの誤判断が生じるという懸念が払拭される。この所定範囲に亘る検出幅は、通常の単体のセンサのように、点接触に近い状態或いはスポット的な作用域で動作するものとは異なり、原稿繰出し方向に沿った作用幅を持ったものを意味する。
【００１０】
上記所定範囲に亘る検出幅の設定態様として、前記のような３種の態様のいずれかを採用すれば、これらの態様はいずれも簡易な構成であるので、コストアップとならず、容易に実現することができる。
【発明を実施するための最良の形態】
【００１１】
以下に本発明の最良の実施の形態について、図面に基づいて説明する。図１は本発明の一実施形態に係る原稿供給装置が適用された画像読取装置の概略的断面図、図２は同原稿供給装置に設置される原稿検出センサの配置と原稿サイズとの関係を示す説明図、図３は同各センサのオン・オフ情報の組合せと原稿サイズとの関係を示すマトリックス図、図４（ａ）は図１におけるＸ部の拡大概念図であり、（ｂ）（ｃ）はその変形態様を示す図である。
【００１２】
図１の原稿供給装置Ａは、画像読取専用機に適用された例を示しているが、画像読取装置と記録部等とを組合せて、複写機、ファクシミリ装置或いはプリンタ機能を備えた所謂複合機等の画像形成装置に適用される原稿供給装置であっても良い。図１における原稿供給装置Ａを備えた画像読取専用機は、光学式画像走査読取装置１を収納する読取装置筐体１Ａと、該読取装置筐体１Ａの上に開閉可能に装着された原稿押圧板２と、該原稿押圧板２の上に設置されたＡＤＦ用原稿トレイ３と、原稿押圧板２の側部の読取装置筐体１Ａ上に形成されたＡＤＦ機構部４とより構成される。ＡＤＦ機構部４は、ＡＤＦカバー４Ａ内に、ピックアップローラ４Ｂａ、セパレートローラ４Ｂｂ及び該セパレートローラ４Ｂｂに弾接して逆回転するリタードローラ４Ｂｃよりなる原稿供給部４Ｂと、この原稿供給部４Ｂに連なり搬送ローラ４Ｃａ、排出ローラ４Ｃｂによって形成される湾曲した原稿搬送路４Ｃとにより構成されている。原稿供給部４Ｂから分離供給された原稿は、原稿搬送路４Ｃに沿って搬送され、途中に配された後記するＡＤＦ原稿画像読取部ＳＡで画像が読取られた後、矢印ａに示すように、原稿押圧板２の上面に形成された排出トレイ２ａ上に排出される。本発明に係る原稿供給装置Ａは、原稿トレイ３と、上記原稿供給部４Ｂとを主たる構成要素とする。
【００１３】
画像走査読取装置１は、蛍光灯或いは冷陰極管からなる光源１ａと、複数のミラー１ｂ…と、集光レンズ１ｃと、ＣＣＤ（電荷結合素子）等の撮像素子１ｄとよりなり、これらがユニット化され、キャリッジ１ｅ上に搭載されている。この画像走査読取装置１は、ＡＤＦ原稿画像読取部ＳＡとＦＢＳ（フラットベットスキャナ）原稿画像読取部ＳＦとの間で位置移動可能とされ、図の実線はＡＤＦ原稿画像読取部ＳＡに静止している状態を示し、２点鎖線はＦＢＳ原稿画像読取部ＳＦの待機位置に移動した状態を示している。読取装置筐体１ＡにおけるＡＤＦ原稿画像読取部ＳＡに対応する部位には、コンタクトガラス５が原稿搬送路４Ｃに臨み原稿搬送路４Ｃの幅方向全幅に亘るよう取付けられている。また、読取装置筐体１ＡにおけるＦＢＳ原稿画像読取部ＳＦに対応する部位には、プラテンガラス６が設置されている。キャリッジ１ｅは、不図示のキャリッジ駆動機構によって、ＡＤＦ原稿画像読取部ＳＡとＦＢＳ原稿画像読取部ＳＦとの間で位置移動可能とされると共に、プラテンガラス６の下面に沿って往復走行移動可能（矢印ｂ参照）に構成されている。
【００１４】
上記構成の画像走査読取装置１によって、ＡＤＦ原稿画像読取部ＳＡで原稿画像の読取走査を行う場合、不図示の操作パネルを操作すると、画像走査読取装置１は図のように実線位置に移動して静止し、同時に原稿供給部４Ｂが作動し、原稿トレイ３の上に画像面を上向き（フェースアップ）にして置かれた原稿Ｄが最上層原稿より繰出され且つ１枚ずつ分離されて原稿搬送路４Ｃに向け供給される。原稿搬送路４Ｃを搬送される原稿は、コンタクトガラス５の上面を接するように通過するが、この通過に同期して光源１ａが点灯し、光源１ａからの照射光が、通過中の原稿に照射される。原稿による反射光は、ミラー１ｂ…によって反射を繰り返し、集光レンズ１ｃで集光され、ＣＣＤ１ｄに入光する（その光路を１点鎖線で示す）。ＣＣｄ１ｄでは、原稿表面の画情報が電気信号に変換され出力される。
【００１５】
また、ＦＢＳ原稿画像読取部ＳＦで原稿画像を読取る場合、原稿押圧板２を開け、プラテンガラス６上に原稿を画像面を下向きにして載せ、不図示の操作パネルを操作すると画像走査読取装置１は図のように２点鎖線位置（待機位置）に移動して一旦静止する。その後、画像走査読取装置１がプラテンガラス６の下面に沿って右方向への走行移動を開始し、同時に光源１ａが点灯し、この走行と共に原稿画像の読取走査がなされる。原稿全面の走査が終了すると、光源１ａが消灯し、キャリッジ１ｅが逆走して待機位置に戻り次原稿の読取の為に待機する。尚、光源１ａが冷陰極管の場合、立上り時間が長い為、一旦点灯オンとされると、所定時間内では点灯状態を維持するよう制御される場合もある。
【００１６】
上記のように、ＡＤＦ原稿画像読取部ＳＡで原稿画像の読取走査を行う場合、原稿トレイ３上に置かれた原稿のサイズ情報は、画像走査読取装置１の読取制御、或いは複写機の場合は画像記録部の記録制御（記録紙の給紙・搬送制御等も含む）、更にはファクシミリ装置の場合は送信制御、等の各制御態様に密接に関連する。その為、原稿トレイ３から原稿供給部４Ｂに至る部位には、複数の原稿サイズ検出センサ１０〜１４が設けられ、これらのセンサ１０〜１４の検出情報に基づき、原稿トレイ３に載せ置かれた原稿のサイズ判定がなされる。図２は、これら原稿サイズ検出センサ１０〜１４の配置態様の一例を示し、図３はこれら原稿サイズ検出センサ１０〜１４の検出情報の組合せと原稿サイズとの関係をマトリックス的に示している。
【００１７】
上記原稿サイズ検出センサ１０〜１４のうち、センサ１０は原稿有無検出を兼ねる原稿サイズ検出センサであり、また、センサ１１〜１３は原稿幅検出センサである。これらのセンサ１０〜１３は、ピックアップローラ４Ｂａとセパレートローラ４Ｂｂとの間であって、幅方向に適宜間隔（図２参照）をもって且つ原稿トレイ３に載せ置かれた原稿Ｄの前端部分が作用する位置に設けられている（図１参照）。更に、センサ１４は、原稿後端側検出センサであり、原稿トレイ３の適宜位置（図２参照）にそのセンサフィラーが上面に突出する状態で設置されている。
【００１８】
図２は、原稿トレイ３の上に原稿の幅方向の一方側（本実施形態では紙面方向の右側）を基準にして置くようにした例を示すものであり、原稿の繰出し方向を示す白抜矢示ｃ方向に向かって右側のサイドガイド３ａ（図１参照）に原稿の右側縁部を揃えてセットがなされることを示している。図２及び図３においてＢ６・・・Ａ３は定型紙サイズを示しており、また、これらサイズ表示に付された括弧内のＹ及びＴは、それぞれ横向及び縦向を意味している。即ち、横向は用紙の短辺が繰出方向ｃに沿い、また縦向は用紙の長辺が繰出方向ｃに沿っていることを意味する。図例は、原稿供給が可能な最小原稿がＢ６（Ｙ）であり、最大原稿がＡ３（Ｔ）であることを示している。
【００１９】
図２に示すような各センサ１０〜１４の配置態様の原稿供給部に、各種原稿をセットすると、原稿サイズに応じて各センサ１０〜１４がオンし、この各センサ１０〜１４のオン情報の組合せにより、置かれた原稿のサイズが一義的に確定する。即ち、センサ１０のみがオンした場合原稿サイズはＢ６（Ｙ）、センサ１０及びセンサ１１がオンした場合はＡ５（Ｙ）、センサ１０〜１２のみがオンした場合Ｂ５（Ｙ）、センサ１０〜１３のみがオンした場合Ａ４（Ｙ）、センサ１０，１４のみがオンした場合はＢ５（Ｔ）、センサ１０，１１，１４のみがオンした場合はＡ４（Ｔ）、センサ１０，１１，１２，１４のみがオンした場合はＢ４（Ｔ）、全てのセンサ１０〜１４がオンした場合はＡ３（Ｔ）として夫々判定される。これらを纏めて図３に示す。ここで、図３における○は、センサがオンであることを示している。図２からも理解される通り、原稿後端側検出センサ１４は、繰出し方向長さがＡ４（Ｙ）の短辺長さを超える原稿の後端側部分を検出し得る位置に設置されている。
【００２０】
原稿後端側検出センサ１４は、上記のように繰出し方向長さがＡ４（Ｙ）の短辺長さを超える原稿の後端側部分を検出し得る位置に設置されており、この原稿後端側検出センサ１４の検出情報と検出センサ１０〜１３の各検出情報との組合せにより、原稿サイズの判定がなされる。従って、この原稿後端側検出センサ１４は、Ｂ５（Ｔ）、Ａ４（Ｔ）、Ｂ４（Ｔ）及びＡ３（Ｔ）サイズの原稿がセットされた時には忠実にオンとならなければ、原稿サイズの誤判断がなされることになる。特に、ファイルされたＢ４サイズやＡ３サイズの原稿Ｄは折りぐせが付いている為、図５に示すように、折りぐせ部分Ｄａが原稿トレイ３の表面より浮き上がり、正しくその検出がなされずに原稿サイズの誤判断に至ることがある。そこで、本発明では、原稿後端側検出センサ１４が原稿繰出し方向に沿った所定範囲に亘る検出幅ｄを備えるように構成されている。この所定範囲に亘る検出幅ｄとは、折りぐせが付いているＡ３原稿やＢ４原稿を原稿トレイ３上に広げてセットした際に、山形に浮き上がった折りぐせ部分Ｄａのいずれかの部位がそのセンサフィラーに作用し得る幅であり、図２に示すようにＡ４（Ｙ）原稿の検出領域に立ち入らないように設定される。
【００２１】
以下、原稿後端側検出センサ１４の３種の形成態様について説明する。図１及び図４（ａ）に示す原稿後端側検出センサ１４は、原稿繰出し方向に沿って所定の間隔で設置された２個のセンサ１４Ａ，１４Ｂからなり、前記所定範囲に亘る検出幅ｄは、この２個のセンサの設置間隔によって設定されるものである。各センサ１４Ａ，１４Ｂは、支軸１４Ａａ，１４Ｂａに揺動自在に支持されたセンサフィラー１４Ａｂ，１４Ｂｂを備え、このセンサフィラー１４Ａｂ，１４Ｂｂは、常時は不図示の弾性部材によって図のように原稿トレイ３の表面より突出するよう起立状態（実線位置）に付勢維持されている。センサフィラー１４Ａｂ，１４Ｂｂは、原稿トレイ３に載せ置かれる原稿Ｄ，Ｄ´による外力が作用すると、上記弾性部材の付勢弾力に抗して支軸１４Ａａ，１４Ｂａを支点として反時計方向に倒れ、この時センサ１４Ａ，１４Ｂのスイッチ部（不図示）をオンとするよう構成されている。図４（ａ）では、２点鎖線で示すように原稿Ｄによって繰出し方向下流側のセンサフィラー１４Ａｂが倒れ、また、原稿Ｄ´によって繰出し方向上流側のセンサフィラー１４Ｂｂが倒れ、これによりセンサ１４Ａがオンとなる状態が示されている。このように２個のセンサを原稿後端側検出センサ１４とした場合は、センサ１４Ａ，１４Ｂのいずれか若しくは両方のオン信号が後端側検出信号として送出される。尚、原稿Ｄ，Ｄ´は、折りぐせ部分Ｄａ，Ｄａ´の位置が異なっていることを意味する。
【００２２】
図４（ｂ）に示す原稿後端側検出センサ１４は、原稿繰出方向に沿った所定長さの作用幅を有するセンサフィラー１４Ｃｂを備えた１個のセンサ１４Ｃからなり、前記所定範囲に亘る検出幅ｄは、このセンサフィラー１４Ｃｂの作用幅によって設定されるものである。このセンサ１４Ｃにおけるセンサフィラー１４Ｃｂも支軸１４Ｃａによって揺動自在に支持され、常時は不図示の弾性部材によって原稿トレイ３の表面より突出するよう図の実線位置に付勢維持されている。上記同様原稿Ｄ，Ｄ´による外力がセンサフィラー１４Ｃｂのいずれかの部位に作用すると、弾性部材の付勢弾力に抗して支軸１４Ｃａを支点として反時計方向に倒れ（２点鎖線参照）、この時センサ１４Ｃがオンとなり、このオン信号が後端側検出信号として送出される。
【００２３】
図４（ｃ）に示す原稿後端側検出センサ１４は、原稿繰出方向に沿って所定間隔に形成された２個の作用部１４Ｄｂａ，１４Ｄｂｂを有するセンサフィラー１４Ｄｂを備えた１個のセンサ１４Ｄからなり、前記所定範囲に亘る検出幅ｄは、このセンサフィラー１４Ｄｂの作用部１４Ｄｂａ，１４Ｄｂｂの形成間隔によって設定されるものである。このセンサ１４Ｄにおけるセンサフィラー１４Ｄｂも支軸１４Ｄａによって揺動自在に支持され、常時は不図示の弾性部材によって両作用部１４Ｄｂａ，１４Ｄｂｂが原稿トレイ３の表面より突出するよう図の実線位置に付勢維持されている。上記同様原稿Ｄ，Ｄ´による外力がセンサフィラー１４Ｄｂのいずれかの作用部１４Ｄｂａ，１４Ｄｂｂに作用すると、弾性部材の付勢弾力に抗して支軸１４Ｄａを支点として反時計方向に倒れ、この時センサ１４Ｄがオンとなり、このオン信号が後端側検出信号として送出される。図４（ｃ）では、２点鎖線で示すように、原稿Ｄによって繰出し方向下流側の作用部１４Ｄｂａに原稿が作用した結果センサフィラー１４Ｄｂが倒れ、また、原稿Ｄ´により繰出し方向上流側の作用部１４Ｄｂｂに原稿が作用した結果センサフィラー１４Ｄｂが倒れ、これによりセンサ１４Ｄがオンとなる状態が示されている。
【００２４】
上記のような原稿後端側検出センサ１４の各形成態様によれば、ファイルされていた為に、その後端側部分に折りぐせ部Ｄａ或いはＤａ´を有するＡ３或いはＢ４原稿であっても、その後端側検出が的確になされ、他の検出センサ１０〜１３による検出情報との組合せにより、原稿トレイ３に載せられた原稿Ｄ，Ｄ´のサイズが正確に判定される。ところで、この種の原稿供給装置Ａにおいては、ピックアップローラ４Ｂａの上下動作に伴う反動作用によって、原稿トレイ３上の原稿Ｄが反繰出し方向に蹴られて押し返され、ピックアップローラ４Ｂａの作用域から外れ、原稿の繰出し供給ミスを生じることが間々ある。そこで、上記原稿後端側検出センサ１４の各センサフィラーの前端部を図２に示すＡ４（Ｙ）原稿の検出領域の後端部近傍にまで臨ませることにより、最も汎用性の高いＡ４（Ｙ）原稿の繰出し供給の際に、センサフィラーの前端部によって原稿Ｄの押し返しを阻止し、このような原稿の繰出し供給ミスを防止することができる。
図４に示すようなフィラー式センサの場合、上記所定範囲に亘る検出幅ｄは、少なくとも原稿トレイ３からのフィラーの突出高さより大であることが望ましい。
【００２５】
尚、原稿検出センサ１０〜１４の配置態様は、図２に示すものに限定されず、また、供給可能な最小原稿及び最大原稿も上記に限定されるものではない。更に、各原稿検出センサ１０〜１４としては、図例のようなフィラー式センサに限らず、光学式センサ等の公知のセンサも採用することができる。
【図面の簡単な説明】
【００２６】
【図１】本発明の一実施形態に係る原稿供給装置が適用された画像読取装置の概略的断面図である。
【図２】同原稿供給装置に設置される原稿検出センサの配置と原稿サイズとの関係を示す説明図である。
【図３】同各センサのオン・オフ情報の組合せと原稿サイズとの関係を示すマトリックス図である。
【図４】（ａ）は図１におけるＸ部の拡大概念図であり、（ｂ）（ｃ）はその変形態様を示す図である。
【図５】従来の原稿供給装置の概念的側面図である。
【符号の説明】
【００２７】
３      原稿トレイ
４Ｂ    原稿の繰出・分離供給部
１０    原稿有無センサ（原稿サイズ検出センサ）
１１〜１３      原稿幅検出センサ（原稿サイズ検出センサ）
１４    原稿後端側検出センサ（原稿サイズ検出センサ）
１４Ａ，１４Ｂ，１４Ｃ，１４Ｄ      原稿後端側検出センサ
１４Ａｂ，１４Ｂｂ，１４Ｃｂ，１４Ｄｂ      センサフィラー
１４Ｄｂａ，１４Ｄｂｂ      作用部
Ａ      原稿供給装置
Ｄ      原稿
ｄ      検出幅
【図１】
2008265976.tif 000003
【図２】
2008265976.tif 000004
【図３】
2008265976.tif 000005
【図４】
2008265976.tif 000006
【図５】
2008265976.tif 000007